(57)【要約】【課題】容器を固い面に誤って落としたときに起こる可能性がある破損からバイアルを保護する。【解決手段】本発明は、自動分析装置と共に用いられるバイアルを保持する容器である。容器は、底部及び４つの側壁を有する。側壁は、底部に対して垂直に延在している。側壁のうちの２つは、互いに対向配置され、尾根部及び谷部によって形成された波形部を有する。波形部は、一方の側壁の尾根部が、対向する側壁の谷部と位置が合うように配置されている。各谷部は、角度をもって配置された３つのパネルを有し、各谷部は、バイアルが３つのパネルのうちの２つのみと接触して支持されるようにサイズ決めされている。蓋も設けられている。蓋は、上部及び該上部に対して垂直に延在する４つの側壁を有する。側壁のうちの２つは、互いに対向配置され、容器の波形部と整合して位置が合う波形部を有する。裾部が、蓋の側壁に取り付けられ、容器を受け入れる外周部を形成している。【選択図】図１
2012047742.tif 000002
【特許請求の範囲】
【請求項１】
隣接する複数の列に複数のバイアルを保持する容器であって、
前記バイアルを支持する底部と、
前記底部に取り付けられて前記底部に対して垂直に延在する、対向配置された第１の側壁及び第２の側壁と、
前記底部に取り付けられて前記底部に対して垂直に延在する、対向配置された第３の側壁及び第４の側壁と
を備え、
前記第１及び第２の側壁のそれぞれは、交互に配置された複数の尾根部及び谷部で形成された波形部を有し、前記谷部のそれぞれは、第１の谷パネルと、第２の谷パネルと、第３の谷パネルとを備え、前記第１、第２、及び第３の谷パネルのそれぞれは、前記底部に対して垂直に延在し、且つ互いに対して角度をもって配置されており、前記谷部のそれぞれは、前記第１の谷パネルと前記第３の谷パネルとの間に前記複数のバイアルのうちの１つを受け入れて支持するようにサイズ決めされ、前記谷部のそれぞれについて、前記第１の谷パネル及び前記第３の谷パネルは、前記第２の谷パネルの対向する側部に配置されており、
前記第３の側壁及び前記第４の側壁は、互いに間隔をおいて配置された関係にあり、且つ前記第１の側壁と前記第２の側壁との間に延在している、容器。
【請求項２】
前記第１の側壁の前記谷部は、前記第２の側壁の前記尾根部と位置合わせされ、それによって、前記複数の列の各列は、前記第１の側壁の前記谷部のうちの１つと前記第２の側壁の前記尾根部のうちの１つとの間に延在している、請求項１に記載の容器。
【請求項３】
前記谷部のそれぞれについて、前記第１の谷パネル及び前記第３の谷パネルは、前記第２の谷パネルに対して約１００度から約１４０度の配向角で配置されている、請求項１に記載の容器。
【請求項４】
前記谷部のそれぞれについて、前記第１の谷パネル及び前記第３の谷パネルは、前記第２の谷パネルに対して約１１５度から約１２５度の配向角で配置されている、請求項１に記載の容器。
【請求項５】
前記谷部のそれぞれについて、前記第１の谷パネル及び前記第３の谷パネルは、前記第２の谷パネルに対して約１２０度の配向角で配置されている、請求項１に記載の容器。
【請求項６】
前記尾根部のそれぞれは、第１の尾根パネルと、第２の尾根パネルと、第３の尾根パネルとを備え、前記第１の尾根パネル、前記第２の尾根パネル、及び前記第３の尾根パネルは、前記底部に対して垂直に延在して互いに対して角度をもって配置されており、
前記尾根部のそれぞれについて、前記第１の尾根パネル及び前記第３の尾根パネルは、前記第２の尾根パネルの対向する側部に配置されている、請求項１に記載の容器。
【請求項７】
前記尾根部のそれぞれについて、前記第１の尾根パネル及び前記第３の尾根パネルは、前記第２の尾根パネルに対して約１００度から約１４０度の配向角で配置されている、請求項６に記載の容器。
【請求項８】
前記尾根部のそれぞれについて、前記第１の尾根パネル及び前記第３の尾根パネルは、前記第２の尾根パネルに対して約１１５度から約１２５度の配向角で配置されている、請求項６に記載の容器。
【請求項９】
前記尾根部のそれぞれについて、前記第１の尾根パネル及び前記第３の尾根パネルは、前記第２の尾根パネルに対して約１２０度の配向角で配置されている、請求項６に記載の容器。
【請求項１０】
蓋をさらに備え、
該蓋は、
前記底部の上に重なり、該底部に対して間隔をおいて配置された状態で位置決め可能な上部と、
前記上部に取り付けられて該上部に対して垂直に延在する、対向配置された第１の蓋側壁及び第２の蓋側壁と、
前記上部に取り付けられて該上部に対して垂直に延在する、対向配置された第３の蓋側壁及び第４の蓋側壁と
を備え、
該蓋側壁のそれぞれは、交互に配置された複数の尾根部及び谷部で形成された波形部を有し、前記蓋の前記谷部のそれぞれは、第１の蓋谷パネルと、第２の蓋谷パネルと、第３の蓋谷パネルとを備え、前記第１、第２、及び第３の蓋谷パネルのそれぞれは、前記上部に対して垂直に延在し、且つ互いに対して角度をもって配置され、前記蓋の前記谷部のそれぞれは、前記容器の前記谷部と同じサイズであり、
前記蓋の前記谷部のそれぞれについて、前記第１の蓋谷パネル及び前記第３の蓋谷パネルは、前記第２の蓋谷パネルの対向する側部に配置され、前記蓋の前記谷部は、前記上部が前記底部の上に間隔をおいて重なった状態に位置決めされたときに前記容器の前記谷部と位置が合うようになっており、
第３の蓋側壁及び第４の蓋側壁は、互いに間隔をおいて配置された関係にあり、且つ前記第１の蓋側壁と前記第２の蓋側壁との間に延在している、請求項１に記載の容器。
【請求項１１】
前記第１の蓋側壁の前記谷部は、前記第２の蓋側壁の前記尾根部と位置合わせされている、請求項１０に記載の容器。
【請求項１２】
前記蓋側壁に取り付けられて前記上部に対して垂直に延在する裾部をさらに備え、該裾部は、前記上部が前記底部の上に間隔をおいて重なった状態に位置決めされているときに前記容器を受け入れるようにサイズ決めされた内側接面を有する外周部を形成している、請求項１０に記載の容器。
【請求項１３】
前記蓋の前記谷部のそれぞれについて、前記第１の蓋谷パネル及び前記第３の蓋谷パネルは、前記第２の蓋谷パネルに対して約１００度から約１４０度の配向角で配置されている、請求項１０に記載の容器。
【請求項１４】
前記蓋の前記谷部のそれぞれについて、前記第１の蓋谷パネル及び前記第３の蓋谷パネルは、前記第２の蓋谷パネルに対して約１１５度から約１２５度の配向角で配置されている、請求項１０に記載の容器。
【請求項１５】
前記蓋の前記谷部のそれぞれについて、前記第１の蓋谷パネル及び前記第３の蓋谷パネルは、前記第２の蓋谷パネルに対して約１２０度の配向角で配置されている、請求項１０に記載の容器。
【請求項１６】
前記蓋の前記尾根部のそれぞれは、第１の蓋尾根パネルと、第２の蓋尾根パネルと、第３の蓋尾根パネルとを備え、前記第１の蓋尾根パネル、前記第２の蓋尾根パネル、及び前記第３の蓋尾根パネルは、前記上部に対して垂直に延在して互いに対して角度をもって配置されており、
前記蓋の前記尾根部のそれぞれについて、前記第１の蓋尾根パネル及び前記第３の蓋尾根パネルは、前記第２の蓋尾根パネルの対向する側部に配置されている、請求項１０に記載の容器。
【請求項１７】
前記蓋の前記尾根部のそれぞれについて、前記第１の蓋尾根パネル及び前記第３の蓋尾根パネルは、前記第２の蓋尾根パネルに対して約１００度から約１４０度の配向角で配置されている、請求項１６に記載の容器。
【請求項１８】
前記蓋の前記尾根部のそれぞれについて、前記第１の蓋尾根パネル及び前記第３の蓋尾根パネルは、前記第２の蓋尾根パネルに対して約１１５度から約１２５度の配向角で配置されている、請求項１６に記載の容器。
【請求項１９】
前記蓋の前記尾根部のそれぞれについて、前記第１の蓋尾根パネル及び前記第３の蓋尾根パネルは、前記第２の蓋尾根パネルに対して約１２０度の配向角で配置されている、請求項１６に記載の容器。
【請求項２０】
複数の列に配列され、前記底部に支持されている複数のバイアルをさらに備える、請求項１に記載の容器。
【発明の詳細な説明】
【技術分野】
【０００１】
本発明は、分析用のサンプルを保持するバイアルを保持、格納、輸送、編成、及び保護する容器に関する。
【０００２】
［関連出願の相互参照］
本出願は、２０１０年８月３０日に出願された米国仮特許出願第６１／３７８，０１０号を基礎とし、該米国仮特許出願の優先権を主張する。該米国仮特許出願はこれによりその全内容が本明細書に援用される。
【背景技術】
【０００３】
ガラス製のバイアルは、クロマトグラフ及び質量分析計等の自動分析装置にサンプルを運ぶのに用いられる。このような自動装置において適切かつ効率的に機能を発揮させるためには、分析装置と適合したサイズを有する容器であって、バイアルを扱うロボットコンポーネントによるアクセスを容易にするためにバイアルを編成して提供する容器に、バイアルを収容することが望ましい。
【発明の概要】
【発明が解決しようとする課題】
【０００４】
このバイアル用容器は、汚染からバイアルを保護するとともに、例えば該容器を固い面に誤って落としたときに起こり得る破損からバイアルを保護できることが望ましい。
【課題を解決するための手段】
【０００５】
本発明は、隣接する複数の列に複数のバイアルを保持する容器に関する。この容器は、バイアルを支持する底部と、該底部に取り付けられて対向配置された第１の側壁及び第２の側壁とを備える。これら第１の側壁及び第２の側壁は、底部に垂直に延在している。第１の側壁及び第２の側壁のそれぞれは、交互に配置された複数の尾根部及び谷部で形成された波形部を有する。これらの谷部のそれぞれは、第１の谷パネルと、第２の谷パネルと、第３の谷パネルとを備える。これら第１、第２、及び第３の谷パネルのそれぞれは、底部に対して垂直に延在し、互いに対して角度をもって配置されている。谷部のそれぞれは、第１の谷パネルと第３の谷パネルとの間にバイアルのうちの１つを受け入れて支持するようにサイズ決めされている。谷部のそれぞれについて、第１の谷パネル及び第３の谷パネルは、第２の谷パネルの対向する側部に配置されている。容器は、底部に取り付けられて対向配置された第３の側壁及び第４の側壁も備える。これらの第３の側壁及び第４の側壁は、底部に垂直に延在し、互いに間隔をおいて配置された関係にある。第３の側壁及び第４の側壁は、第１の側壁と第２の側壁との間に延在している。
【０００６】
一実施形態では、第１の側壁の谷部は、第２の側壁の尾根部と位置合わせされている。この構成では、容器内のバイアル列の各列は、第１の側壁の谷部のうちの１つと第２の側壁の尾根部のうちの１つとの間に延在する。
【０００７】
一実施形態では、谷部のそれぞれについて、第１の谷パネルを第２の谷パネルに対して約１００度から約１４０度の配向角で配置させることができる。たとえば、約１００度、約１０５度、約１１０度、約１１５度、約１２０度、約１２５度、約１３０度、約１３５度、又は約１４０度等の配向角で配置することができる。加えて、谷部のそれぞれについて、第３の谷パネルを第２の谷パネルに対して約１００度から約１４０度の配向角で配置させることができる。たとえば、約１００度、約１０５度、約１１０度、約１１５度、約１２０度、約１２５度、約１３０度、約１３５度、又は約１４０度等の配向角で配置することができる。
【０００８】
一実施形態では、尾根部のそれぞれは、底部に対して垂直に延在する第１の尾根パネル、第２の尾根パネル、及び第３の尾根パネルを備える。これら第１、第２、及び第３の尾根パネルは、互いに対して角度をもって配置されている。尾根部のそれぞれについて、第１の尾根パネル及び第３の尾根パネルは、第２の尾根パネルの対向する側部に配置されている。尾根部のそれぞれについて、第１の尾根パネルを第２の尾根パネルに対して約１００度から約１４０度の配向角で配置させることができる。たとえば、約１００度、約１０５度、約１１０度、約１１５度、約１２０度、約１２５度、約１３０度、約１３５度、又は約１４０度等の配向角で配置することができる。さらに、尾根部のそれぞれについて、第３の尾根パネルを第２の尾根パネルに対して約１００度から約１４０度の配向角で配置させることができる。たとえば、約１００度、約１０５度、約１１０度、約１１５度、約１２０度、約１２５度、約１３０度、約１３５度、又は約１４０度等の配向角で配置することができる。
【０００９】
容器は、蓋も備えることができる。一実施形態では、蓋は、底部の上に重なり、該底部に対して間隔をおいて配置された状態で位置決め可能な上部を備える。蓋は、この上部に取り付けられて該上部に対して垂直に延在する対向配置された第１の蓋側壁及び第２の蓋側壁を有する。これらの蓋側壁のそれぞれは、交互に配置された複数の尾根部及び谷部で形成された波形部を有する。蓋の谷部のそれぞれは、第１の蓋谷パネルと、第２の蓋谷パネルと、第３の蓋谷パネルとを備える。これら第１、第２、及び第３の蓋谷パネルのそれぞれは、上部に対して垂直に延在し、互いに対して角度をもって配置されている。蓋の谷部のそれぞれは、容器の谷部と同じサイズとすることができる。蓋の谷部のそれぞれについて、第１の蓋谷パネル及び第３の蓋谷パネルは、第２の蓋谷パネルの対向する側部に配置されている。蓋の谷部は、上部が底部の上に間隔をおいて重なった状態に位置決めされたときに、容器の谷部と位置が合ようになっている。蓋は、上部に取り付けられて該上部に対して垂直に延在する対向配置された第３の蓋側壁及び第４の蓋側壁も備える。これらの第３の蓋側壁及び第４の蓋側壁は、互いに間隔をおいて配置された関係にあり、第１の蓋側壁と第２の蓋側壁との間に延在している。
【００１０】
一実施形態では、蓋は、蓋側壁に取り付けられた裾部をさらに備える。この裾部は、上部に対して垂直に延在している。また、裾部は、上部が底部の上に間隔をおいて重なった状態に位置決めされているときに容器を受け入れるようにサイズ決めされた内側接面を有する外周部を形成している。
【００１１】
一実施形態では、蓋の谷部のそれぞれについて、第１の蓋谷パネルを第２の蓋谷パネルに対して約１００度から約１４０度の配向角で配置させることができる。たとえば、約１００度、約１０５度、約１１０度、約１１５度、約１２０度、約１２５度、約１３０度、約１３５度、又は約１４０度等の配向角で配置することができる。さらに、蓋の谷部のそれぞれについて、第３の蓋谷パネルを第２の蓋谷パネルに対して約１００度から約１４０度の配向角で配置させることができる。たとえば、約１００度、約１０５度、約１１０度、約１１５度、約１２０度、約１２５度、約１３０度、約１３５度、又は約１４０度等の配向角で配置することができる。
【００１２】
加えて、蓋の尾根部のそれぞれは、第１の蓋尾根パネルと、第２の蓋尾根パネルと、第３の蓋尾根パネルとを備えることができ、これら第１、第２、及び第３の蓋尾根パネルは、上部に対して垂直に延在し、互いに対して角度をもって配置されている。蓋のこれらの尾根部のそれぞれについて、第１の蓋尾根パネル及び第３の蓋尾根パネルは、第２の蓋尾根パネルの対向する側部に配置されている。蓋の尾根部のそれぞれについて、第１の蓋尾根パネルを第２の蓋尾根パネルに対して約１００度から約１４０度の配向角で配置させることができる。たとえば、約１００度、約１０５度、約１１０度、約１１５度、約１２０度、約１２５度、約１３０度、約１３５度、又は約１４０度等の配向角で配置することができる。さらに、蓋の尾根部のそれぞれについて、第３の蓋尾根パネルを第２の蓋尾根パネルに対して約１００度から約１４０度の配向角で配置させることができる。たとえば、約１００度、約１０５度、約１１０度、約１１５度、約１２０度、約１２５度、約１３０度、約１３５度、又は約１４０度等の配向角で配置することができる。
【図面の簡単な説明】
【００１３】
【図１】本発明に係る実施形態の容器の一例の等角投影図である。
【図２】図１の容器の上面図である。
【図３】図１の容器に対応する蓋の実施形態の一例の等角投影図である。
【図４】図３の蓋の上面図である。
【図５】図１の容器及び図３の蓋の等角投影図である。
【図６】複数のバイアルを保持する容器の一例の等角投影図である。
【図７】図６の容器の部分平面図である。
【発明を実施するための形態】
【００１４】
図１は、複数のバイアル（図示せず）を保持する容器１０の実施形態の一例を示している。容器１０は、バイアルを支持する底部１２を備える。第１の側壁１４及び第２の側壁１６が、底部１２に取り付けられ、底部１２に対して概ね垂直に延在している。第１の側壁１４及び第２の側壁１６は、互いに対向配置され、離間された関係にある。第３の側壁１８及び第４の側壁２０も、底部１２に取り付けられ、底部１２に対して概ね垂直に延在している。第３の側壁１８及び第４の側壁２０は、離間された関係で互いに対向配置され、第１の側壁１４と第２の側壁１６との間に延在している。
【００１５】
第１の側壁１４及び第２の側壁１６は、複数の尾根部２４及び谷部２６で形成された波形部２２を有する。図２に示すように、谷部２６のそれぞれは、側面パネル又は第１の谷パネル２８と、中央パネル又は第２の谷パネル３０と、別の側面パネル又は第３の谷パネル３２とを含む３つの谷パネルを備える。第１の谷パネル２８、第２の谷パネル３０、及び第３の谷パネル３２は、底部１２に対して垂直に延在し、互いに角度をもって配置されている。第１の谷パネル２８及び第３の谷パネル３２は、第２の谷パネル（中央パネル）３０の対向する側部に配置され、この一例の実施形態では、第２の谷パネル３０に対して約１２０度の配向角３４で配置されている。この配向角は２ｍｌのバイアルに有利であると考えられる。約１００度から約１４０度の配向角３４、たとえば、約１００度、約１０５度、約１１０度、約１１５度、約１２０度、約１２５度、約１３０度、約１３５度、又は約１４０度等の配向角で配置することができる。以下で詳細に説明するように、谷部２６は、第１の谷パネル２８及び第３の谷パネル３２が、バイアルと中央パネル３０との間に接触がない状態でバイアルを受け入れて支持することができるように、容器１０に格納されるバイアルに対してサイズ決めされる。
【００１６】
図２にさらに示すように、尾根部２４も、側面パネル又は第１の尾根パネル３６と、中央パネル又は第２の尾根パネル３８と、別の側面パネル又は第３の尾根パネル４０とを含む３つの尾根パネルを備えることができる。これら第１の尾根パネル３６、第２の尾根パネル３８、及び第３の尾根パネル４０は、底部１２に対して垂直に延在し、互いに対して角度をもって配置されている。この一例の実施形態では、第１の尾根パネル３６及び第３の尾根パネル４０は、第２の尾根パネル（中央尾根パネル）３８の対向する側部に位置決めされ、第２の尾根パネル３８に対して約１２０度の配向角４２で配置されている。たとえば、約１００度、約１０５度、約１１０度、約１１５度、約１２０度、約１２５度、約１３０度、約１３５度、又は約１４０度等の配向角といった約１００度から約１４０度の配向角４２で配置することができる。図に示す実施形態では、第１の側壁１４の谷部２６が、第２の側壁１６の尾根部２４と位置合わせされ、かつ第２の側壁１６の谷部２６が、第１の側壁１４の尾根部２４と位置合わせされ、それによって底部１２上に位置決めされたバイアルの列が第１の側壁１４の谷部２６から第２の側壁１６の尾根部２４に延在し、またその反対で、バイアルの列が第２の側壁１６の谷部２６から第１の側壁１４の尾根部２４に延在するように、尾根部２４及び谷部２６は配置されている。尾根部２４と谷部２６との間の他の位置合わせ関係も実施することができ、たとえば、第１の側壁１４の尾根部２４が第２の側壁１６の尾根部２４と位置合わせされ、第１の側壁１４の谷部２６が、第２の側壁１６の谷部２６と位置合わせされるように実施することもできる。
【００１７】
容器１０は、図３に示す蓋４４も備えることができる。蓋４４は、２つの第１の蓋側壁４８及び第２の蓋側壁５０が取り付けられている上部４６を備える。第１の蓋側壁４８及び第２の蓋側壁５０は、離間された関係で対向配置され、カバーに対して概ね垂直に延在している。２つのさらに別の第３の蓋側壁５２及び第４の蓋側壁５４も上部４６に取り付けられ、上部４６に対して概ね垂直に延在している。第３の蓋側壁５２及び第４の蓋側壁５４は、離間された関係で互いに対向配置され、第１の蓋側壁４８と第２の蓋側壁５０との間に延在している。
【００１８】
第１の蓋側壁４８及び第２の蓋側壁５０は、同様に複数の尾根部５８及び谷部６０で形成された波形部５６を有する。図４に示すように、谷部６０のそれぞれは、側面パネル又は第１の谷パネル６２と、中央パネル又は第２の谷パネル６４と、別の側面パネル又は第３の谷パネル６６とを含む３つの谷パネルを備える。これらの第１の谷パネル６２、第２の谷パネル６４、及び第３の谷パネル６６は、上部４６に対して垂直に延在し、互いに角度をもって配置されている。第１の谷パネル６２及び第３の谷パネル６６は、第２の谷パネル（中央パネル）６４の対向する側部に配置されている。この一例の実施形態において、第１の谷パネル６２及び第３の谷パネル６６は、容器１０の谷部２６を構成するパネルと同じく、第２の谷パネル６４に対して約１２０度の配向角３４で配置されている。たとえば、約１００度、約１０５度、約１１０度、約１１５度、約１２０度、約１２５度、約１３０度、約１３５度、又は約１４０度等の配向角といった約１００度から約１４０度の配向角３４で配置することができる。図５に示すように、蓋４４の谷部６０は、蓋４４の上部４６が底部１２の上に重なる状態で蓋４４が設置されたときに、容器１０の谷部２６と整合して位置が合うようにサイズ決め及び位置決めされている。
【００１９】
図４にさらに示すように、蓋４４の尾根部５８も、側面パネル又は第１の尾根パネル６８と、中央パネル又は第２の尾根パネル７０と、別の側面パネル又は第３の尾根パネル７２とを含む３つの尾根パネルを備えることができる。第１の尾根パネル６８、第２の尾根パネル７０、及び第３の尾根パネル７２は、上部４６に対して垂直に延在し、互いに対して角度をもって配置されている。この一例の実施形態において、第１の尾根パネル６８及び第３の尾根パネル７２は、第２の尾根パネル（中央尾根パネル）７０の対向する側部に位置決めされ、容器１０の尾根部２４を構成するパネルと同じく、第２の尾根パネル７０に対して約１２０度の配向角４２で配置されている。たとえば、約１００度、約１０５度、約１１０度、約１１５度、約１２０度、約１２５度、約１３０度、約１３５度、又は約１４０度等の配向角といった約１００度から約１４０度の配向角で配置することができる。図５に示すように、蓋４４の尾根部５８は、蓋４４の上部４６が底部１２の上に重なる状態で蓋４４が設置されているときに容器１０の尾根部２４と整合して位置が合うようにサイズ決め及び位置決めされている。
【００２０】
図３に示すように、蓋４４は、裾部７４も備えることができる。裾部７４は、第１の蓋側壁４８、第２の蓋側壁５０、第３の蓋側壁５２、及び第４の蓋側壁５４に取り付けられ、上部４６に対して概ね垂直に延在している。図４に示すように、裾部７４は、内側接面７８を有する外周部７６を形成している。図５に示すように、内側接面７８は、上部４６が底部１２の上に間隔をあけて重なる状態で位置決めされているときに容器１０を受け入れるようにサイズ決めされている。
【００２１】
図６は、隣接する複数の列８２に配列された複数のバイアル８０を保持する容器１０の実施形態を示している。この容器１０の実施形態では、バイアル８０の各列８２は、一方の側壁（１４又は１６）の谷部２６から対向する側壁の尾根部２４に延在していることに留意されたい。図７は、たとえば容器１０が落下したときのように、バイアル８０が衝撃力を受けたときにバイアル８０を破損から保護すると予想される特徴を強調するためにバイアル８０と第１の側壁１４及び第２の側壁１６との間の相互作用を詳細に示している。上述したように、各谷部２６は、バイアル８０を受け入れてバイアル８０が第１の谷パネル２８及び第３の谷パネル３２のみと接触するようなサイズにされている。これは、バイアルへの衝撃力の伝達を低減して破損を回避するのに役立つ。一方、バイアル８０が尾根部２４に隣接している箇所では、（一方の側壁の尾根部２４が対向する側壁の谷部２６と位置合わせされていることによる）バイアルの互い違いに並んだ配列によって、間隙８４が、尾根部２４の第２の尾根パネル（中央パネル）３８と隣接するバイアル８０との間に存在することが可能になり、それによって、バイアル８０は、そうでなければ側壁を通じて伝達される直接的な衝撃荷重を受けないようになっている。
【００２２】
容器１０及び蓋４４を、ポリエチレン、ポリエチレンテレフタレート、又はポリ塩化ビニル（ＰＶＣ）等のポリマー材料から作製することが有利である。ＰＶＣは他のポリマーと比較すると、その耐衝撃性が比較的高いことからさらなる保護を与えることが予想される。本発明による容器及び蓋に対して行った落下試験は、同じ材料で作製されているが側面が波形部を有していない容器に対して行った同じ試験と比較して、破損したバイアルが平均して４０％低減していたことを示していた。本発明による容器を、約１ｍｌから約２０ｍｌの容量のガラスバイアルを保持するのに用いると、容器の落下によって破損することを減少させることができる。
【図１】
2012047742.tif 000003
【図２】
2012047742.tif 000004
【図３】
2012047742.tif 000005
【図４】
2012047742.tif 000006
【図５】
2012047742.tif 000007
【図６】
2012047742.tif 000008
【図７】
2012047742.tif 000009